(57)【特許請求の範囲】
【請求項１】
少なくとも２つのハウジング・シェル（３、５）と、
少なくとも１つの接続ブロック（７）と、を含み、
前記接続ブロック（７）上に少なくとも２つの接続ピン（９ａ、ｂ、ｃ）が構築され、前記各ハウジング・シェル（３、５）内に少なくとも１つの位置決め凹部（１１ａ、ｂ、ｃ）が構築され、
前記ハウジング・シェル（３、５）は、前記接続ブロック（７）上の組立面上で、前記少なくとも１つの位置決め凹部（１１ａ、ｂ、ｃ）を介して前記少なくとも１つの接続ピン（９ａ、ｂ、ｃ）上に配置及び位置合わせされるとともに、接続ブロック（７）及びハウジング・シェル（３、５）が、少なくとも１つの位置決め凹部（１１ａ、ｂ、ｃ）上で前記少なくとも１つの接続ピン（９ａ、ｂ、ｃ）に溶接され、発射方向に又は発射と逆の方向に作用する力が、前記少なくとも１つの接続ピン（９ａ、ｂ、ｃ）の表面及び前記少なくとも１つの位置決め凹部（１１ａ、ｂ、ｃ）によって吸収されることを特徴とする、武器ハウジング（１）。
【請求項２】
前記接続ピン（９ａ、ｂ、ｃ）は、前記接続ブロック（７）の結合フランク（１３ａ、ｂ）内又は上に配置及び構築されて前記組立面を定めることを特徴とする、請求項１に記載の武器ハウジング（１）。
【請求項３】
前記接続ブロック（７）は、前記結合フランク（１３ａ、ｂ）上に３つの前記接続ピン（９ａ、ｂ、ｃ）を含み、前記ハウジング・シェル（３、５）の各々が、３つの前記位置決め凹部（１１ａ、ｂ、ｃ）を含むことを特徴とする、請求項２に記載の武器ハウジング（１）。
【請求項４】
前記少なくとも１つの位置決め凹部（１１ａ、ｂ、ｃ）が、前記ハウジング・シェル（３、５）を貫通することを特徴とする、前記請求項１〜３の何れか１項に記載の武器ハウジング（１）。
【請求項５】
少なくとも２つの接続ピン（９ａ、ｂ、ｃ）及び少なくとも２つの位置決め凹部（１１ａ、ｂ、ｃ）が、互いに断面において配置することができることを特徴とする、前記請求項１〜４の何れか１項に記載の武器ハウジング（１）。
【請求項６】
前記ハウジング・シェルの長手方向の位置合わせ及び／又はロックのために、前記少なくとも１つの位置決め凹部（１１ａ、ｂ、ｃ）と前記少なくとも１つの接続ピン（９ａ、ｂ、ｃ）との間の少なくとも１つの接続は、前記接続ブロック（７）上で設計することができることを特徴とする、前記請求項１〜５の何れか１項に記載の武器ハウジング（１）。
【請求項７】
前記少なくとも１つの位置決め凹部（１１ａ、ｂ、ｃ）と前記少なくとも１つの接続ピン（９ａ、ｂ、ｃ）との間の前記少なくとも１つの接続は、前記接続ブロック（７）上での前記ハウジング・シェルの高さ調整及び／又はロックの目的を果たすことができることを特徴とする、前記請求項１〜６の何れか１項に記載の武器ハウジング（１）。
【請求項８】
前記ハウジング・シェル（３、５）は、発射方向に接続縁部において少なくとも部分的に互いに溶接されていることを特徴とする、前記請求項１〜７の何れか１項に記載の武器ハウジング（１）。
【請求項９】
ハウジング・シェル（３、５）の間でブリーチ組立体を案内するための案内軌道（４５ａ、ｂ；４６ａ、ｂ）を設けることができることを特徴とする、前記請求項１〜８の何れか１項に記載の武器ハウジング（１）。
【請求項１０】
前記ハウジング・シェル（３、５）を互いに接続する安定化要素（２５）を介して、武器ハウジング構造体を安定化させることができることを特徴とする、前記請求項１〜９の何れか１項に記載の武器ハウジング（１）。
【請求項１１】
前記安定化要素（２５）は、少なくとも１つの固定要素（２７ａ、ｂ）を介して何れかのハウジング・シェル（３、５）上に固定することができ、及び／又はセンタリング要素を介して位置合わせすることができることを特徴とする、請求項１０に記載の武器ハウジング（１）。
【請求項１２】
前記安定化要素（２５）が、排莢要素（２９）を含むことを特徴とする、請求項１０又は請求項１１に記載の武器ハウジング（１）。
【請求項１３】
前記排莢要素（２９）は、ブリーチ組立体内に突出し、その反動時にケースベース上で空薬莢を排出及び／又は放出するようにすることを特徴とする、請求項１２に記載の武器ハウジング（１）。
【請求項１４】
前記接続ブロック（７）は、少なくとも１つのスコープ・レセプタクル（１５）を含むことを特徴とする、前記請求項１〜１３の何れか１項に記載の武器ハウジング（１）。
【請求項１５】
前記接続ブロック（７）は、ガス・ロッドホルダ（１７）を介して、前記スコープ上のガス抽出器及びガス・ロッドガイドに接続することを特徴とする、前記請求項１〜１４の何れか１項に記載の武器ハウジング（１）。
【請求項１６】
前記請求項１〜１５の何れか１項に記載の武器ハウジング（１）を有する手持ち式小火器。
【請求項１７】
請求項１から請求項１５までの何れか１項に記載の武器ハウジング（１）を製造する方法であって、
少なくとも２つのハウジング・シェル（３、５）と、少なくとも１つの接続ブロック（７）とを準備し、前記接続ブロック（７）上に少なくとも２つの接続ピン（９ａ、ｂ、ｃ）が構築され、前記ハウジング・シェル（３、５）の各々の中に少なくとも１つの位置決め凹部（１１ａ、ｂ、ｃ）が構築されるステップと、
ハウジング・シェル（３、５）を前記少なくとも１つの接続ピン（９ａ、ｂ、ｃ）上で前記少なくとも１つの位置決め凹部（１１ａ、ｂ、ｃ）を介して前記接続ブロック（７）の組立面上に配置及び位置合わせするステップと、
前記接続ブロック（７）及びハウジング・シェル（３、５）が、少なくとも１つの位置決め凹部（１１ａ、ｂ、ｃ）上で前記少なくとも１つの接続ピン（９ａ、ｂ、ｃ）に溶接するステップと、を含む方法。
【発明の詳細な説明】
【技術分野】
【０００１】
本発明は、武器ハウジングに関する。本発明はまた、武器ハウジングを有する武器、及び武器ハウジングを組み立てる方法に関する。
【背景技術】
【０００２】
周知の武器ハウジングは、例えば、ＭＧ４２／ＭＧ３、ＭＧ６０、ＮＦ１／ＡＡ５２、ＦＮ  ＭＩＮＩＭＩ、ＰＫＳカラシニコフ、ＨＫ  ＭＧ４等の機関銃において、板金型打ち部品から構成されることが多い。例えば、ＦＮ  ＭＩＮＩＭＩ機関銃は、個々のハウジング部品の組み立ての際に広範囲にわたる溶接を必要とし、金型歪みが生じることがある。特許文献１及び特許文献２、並びに特許文献３は、溶接の際に金型の歪みを低く抑えるための複雑な溶接方法を開示している。
【０００３】
全体として、多くの場合薄肉の板金型打ち部品は、位置合わせが困難であり、複雑な溶接と安定化を必要とする。このことは、収益性、寸法公差、及び寸法安定性に悪影響を与える。更に、構成部品が大きな製造公差を伴うことが多い。
【０００４】
武器ハウジング及びその構成部品をミル加工部品として構築することはよく知られている。例えば、ＭＧ３４、Ｂｒｅｎ軽機関銃、及びＢｒｏｗｎｉｎｇ  ＢＡＲ軽機関銃は、一体成形の武器ハウジングを含む。１９２０年代及び１９３０年代からのこれらの武器については、ハウジングは、ブリーチブロック支持機能及びブリーチブロック案内機能を部分的にもち、確実なブリーチブロック機能を確保するために精密な製造を必要とした。
【０００５】
同様に、例えば１９５０年代からのＦＮ  ＭＡＧ、及び１９１７年からのＢｒｏｗｎｉｎｇ０．５０ＭＧにおいては、リベット留めされた既製のハウジング構成部品から作られた武器ハウジングも知られている。現代の機関銃はまた、例えば、ＭＧ４上のローディング・レバーのための案内レールなど、武器ハウジングにリベット留めされた取り付け部品を有することもある。取り付け部品をリベット留めする場合において、他の場合には必要となる溶接及びハウジング位置合わせが排除されることは事実であるが、リベット接続は、費用がかかり、寸法精度がよくない。
【０００６】
更に、特許文献４は、垂直方向に分割された２つのハウジング半部分から成るハウジングを有する機関銃を開示している。ハウジング半部分の各々には、ガス・ロッド及びスコープのための保持用取付具及びブリーチガイド、並びに種々の補強構造体（例えば、リブ）が設けられる。これらのハウジング半部分は、一体に溶接される。
【０００７】
また、特許文献５は、２部品のブリーチハウジング、並びにブリーチブロック用のセンタリング装置を示しめしている。ブリーチハウジングは、武器の後部から武器ハウジングに挿入され、案内溝を介してセンタリングされ、ロック手段を介して取り外し可能に固定される。
【０００８】
更に、特許文献６は、２つのポリマー・ハウジングハーフストック（ｈａｌｆ−ｓｔｏｃｋ）を有する武器ハウジングを示している。２つのハーフストックは、溝、ばね、及び／又は接続縁部のような接続要素を用いて互いに結合され、補強及び／又は接続目的で、ポリマー・ストランドが凹部に挿入される。また、ハーフストックを互いに溶接することもできる。
【０００９】
最後に、特許文献７は、スナップ・ファスナ又はスナップ・ロック接続により２つの側板が取り外し可能に締結された、ベース支持部を有するライフル本体を示している。側板又は取り付け要素は、プラスチックから形成することができる。１つの代替形態として、これらの側板は、ベース支持部にリベット留めすることもできる。
【００１０】
全般としてとらえると、周知の武器ハウジングは、製造及び／又は組み立てが複雑であり、費用がかかる。また、多くの場合製造ばらつきが生じ、従って、十分な精度が保証されず、このことは、例えば照準器のような補助装置の機能を損なう可能性がある。
【先行技術文献】
【特許文献】
【００１１】
【特許文献１】米国特許第５，４４０，０９９  Ａ号
【特許文献２】米国特許第５，５８０，４７４  Ａ号
【特許文献３】国際公開第９７／０３７８５  Ａ１号
【特許文献４】国際公開第２００８／１４７４９１  Ａ２号
【特許文献５】独国特許第１０  ２００７  ０１１  ５０４  Ａ１号
【特許文献６】欧州特許第１  ３５７  ３４８  Ｂ１号
【特許文献７】国際公開第２００８／１０６６９７  Ａ１号
【発明の概要】
【発明が解決しようとする課題】
【００１２】
こうした背景に対して、本発明は、製造及び／又は組み立てが複雑でなく、費用効果がより高い、改善された武器ハウジング及び武器ハウジング製造方法を提供する問題に対処する。
【課題を解決するための手段】
【００１３】
独立請求項１の主題がこの問題を解決する。追加の有利な実施形態及び好ましい実施形態が、従属請求項に記載されている。
【００１４】
請求項１によれば、本発明の武器ハウジングは、少なくとも２つのハウジング・シェルと、少なくとも１つの接続ブロックとを含み、接続ブロック上に少なくとも２つの接続ピンが構築され、ハウジング・シェルの各々の中に少なくとも１つの位置決め凹部が構築され、ハウジング・シェルは、接続ブロックの組立面上で少なくとも１つの位置決め凹部を介して少なくとも１つの接続ピン上に配置及び位置合わされ、更に前記接続ブロック及びハウジング・シェルが、少なくとも１つの位置決め凹部上で前記少なくとも１つの接続ピンに溶接される。
【００１５】
請求項１９によれば、本方法は、少なくとも２つのハウジング・シェルと、少なくとも１つの接続ブロックとを準備し、接続ブロック上に少なくとも２つの接続ピンが構築され、ハウジング・シェルの各々の中に少なくとも１つの位置決め凹部が構築されるステップと、ハウジング・シェルを接続ブロック上の組立面上で少なくとも１つの位置決め凹部を介して少なくとも１つの接続ピン上に配置及び位置合わせするステップと、前記接続ブロック及びハウジング・シェルが、少なくとも１つの位置決め凹部上で前記少なくとも１つの接続ピンに溶接するステップとを含む。
【００１６】
本発明の武器ハウジングは、複数のハウジング・シェル又はハウジング要素から構成することができる。しかしながら、本発明の武器ハウジングは、互いに垂直な２つの分割されたハウジング半部分から組み立てられるのが好ましい。また、接続ピン及び位置決め凹部は、何らかの対応する幾何学的形状を示すことができ、例えば、丸みがあり又は角度があるように構築される。
【００１７】
組み立てにおいて、ハウジング・シェルを接続ブロック上に配置することができ、接続ピンは、位置決め凹部と確実に係合することが好ましい。次いで、ハウジング・シェルの配置において、位置決め凹部は、対応する突出した接続ピンに重なり、ハウジング・シェルの内部は、接続ブロックの結合フランク上に配置される。このプロセスでは、ハウジング・シェルは、互いに及び接続ブロックに対して位置合わせされ、接続ブロックの組立面上で型締め（ｆｏｒｍ  ｃｌｏｓｕｒｅ）を介して保持される。このように有利には、接続ブロックは、ハウジング・シェル用の保持及び位置決めベースを形成する。従って、ハウジング・シェルは、互いに及び銃身の軸線又は武器のボアの軸線に対して単純な方法でセンタリングされ配置される。
【００１８】
ハウジング・シェルに異なる好適な材料を用いることもできる。例えば、ハウジング・シェルは、射出成形、又はダイカスト法によって生成することができ、ここでは、例えばスチール精密鋳造のような射出成形、精密鋳造、又はダイカスト用材料、或いは、アルミニウム又はマグネシウムなどの軽金属又は軽金属合金を用いることができる。更に、例えばポリマー材料、及び／又は、例えばスチール製の再加工ハウジング・シェル、或いは、例えば板金型打ち部品を用いることもできる。ハウジング・シェルにおける種々の材料の組み合わせも実施可能である。現在の機関銃の耐用年数の要件は、５０，０００発を超えるほど極めて高いものであり、これに対応したスチール又はスチール合金などの装填可能な材料が用いられることが多い。
【００１９】
原理的には、１つ又はそれ以上の接続ピンを、例えば前部、上部、又は下部において接続ブロックの側部上に配置することができる。しかしながら、本発明による武器ハウジングにおいて、接続ピンは、接続ブロックの結合フランク内又はその上に配置され構築されて、組立面を定めるのが好ましい（請求項２）。
【００２０】
この目的のために、続いて、１つ又は複数の接続ピンを接続ブロックに挿入し、又は接続ブロックに取り付けることができる。好ましくは、これらの接続ピンは、接続ブロック上に一体成形で構築され、例えばミル加工又は他の方法で適切に構築される。このプロセスでは、接続ブロックの結合フランクは、ハウジング・シェルの組立面を有利に定め、ハウジング・シェルは、配置の際に結合フランクに適合する。
【００２１】
本発明の武器ハウジングの場合、接続ブロックはまた、結合フランク上に３つの接続ピンを含むこともでき、ハウジング・シェルの各々は、３つの位置決め凹部を含むことができる（請求項３）。重力によりセンタリング配置された３つの接続ピン及び３つの位置決め凹部は、このようにして、配置の際にハウジング・シェルを３点支持式で接続ブロック上に位置合わせすることができ、高い安定性が保証されるので、特に有利であることが証明されている。重力によるセンタリング配置構成を通して、接続ピンに作用するねじり力が防止される（発生する主な力は、接続ピンにより広がる三角形の重心を通る）。
【００２２】
少なくとも１つの位置決め凹部は、例えば、それぞれのハウジング・シェル内の陥凹部又は窪みとして構築することができる。また、本発明の武器ハウジングにおいて、少なくとも１つの位置決め凹部は、ハウジング・シェルを貫通することもできる（請求項４）。少なくとも１つの位置決め凹部がハウジング・シェルを貫通する場合、滑りが防止されるので、有利には、接続ピンの上への配置が簡素になる。また、位置決め凹部の貫通は、ハウジング・シェルの製造中のノッチとして、或いは、例えばミリング溝又はボアホールなどの凹部として後で単純な手段により導入することができる。
【００２３】
更に、本発明の武器ハウジングにおいて、接続ブロック及びハウジング・シェルは、少なくとも１つの位置決め凹部上で、少なくとも１つの接続ピンに溶接する。このプロセスでは、少なくとも１つ又はそれ以上の配置された位置決め凹部は、結合によって例えば確実にハウジング・シェルを接続ピンに接続することができる。
【００２４】
同様に又は付加的に、接続ピンは、例えば接着又ははんだ付けなど、位置決め凹部に溶接又は他の方法で適切に接続することができる。接続ピン及びハウジング・シェルの厚さの対応する寸法については、有利には、発射方向又は発射と逆の方向に作用する力は、溶接継ぎ目により吸収されず、むしろ、接続ピンの表面及び位置決め凹部によって吸収され、その結果、溶接継ぎ目に過負荷がかからない。
【００２５】
また、本発明の武器ハウジングにおいて、少なくとも２つの接続ピン及び少なくとも２つの位置決め凹部は、互いに断面で配置することができる（請求項５）。その結果、有利には、複数の組み立てポイントが定められるので、指定された組み立て位置におけるハウジング・シェルの接続ブロックへの位置合わせを簡略化することができる。
【００２６】
本発明の武器ハウジングにおいて、ハウジング・シェルの長手方向の位置合わせ及び／又はロックのために少なくとも１つの位置決め凹部と少なくとも１つの接続ピンとの間の接続は、接続ブロック上で設計することができる（請求項６）。例えば、１つ又は２つの後部位置決め凹部及び１つ又は２つの後部接続ピンの形状は、矩形であることが好ましい。その結果、発射方向に作用する大きい力を吸収することもできる。
【００２７】
同様に、接続ピン及び位置決め凹部の角度付き設計の場合、接続ピン及び位置決め凹部の長手方向区域又は横断面上、或いは全ての外側面上に型締めを形成することができる。型締めが横断面又は長手方向面上にのみ構築された場合には、それぞれの自由横断面又は長手方向面上に十分なクリアランスが確保され、これにより、接続ピン上への位置決め凹部の位置決めをより容易にすることができる。有利には、は最大の力がここでは発射方向に作用し、これを吸収することができるので、横断面上での型締めは発射方向に対して垂直に形成される。
【００２８】
更に、少なくとも１つの位置決め凹部と少なくとも１つの接続ピンとの間の少なくとも１つの接続は、接続ブロック上でのハウジング・シェルの高さ調整及び／又はロックの目的を果たすことができる（請求項７）。この目的のために、例えば、後部、上部、又は下部の接続を設けることができる。好ましくは、前部位置決め凹部及び前部接続ピンの形状は平坦であり、高さ調整のために接続が設けられる。
【００２９】
更に、本発明の武器ハウジングにおいて、ハウジング・シェルは、発射方向で接続縁部において少なくとも部分的に互いに接続され、詳細には溶接することができる（請求項９）。ハウジング・シェルは、互いに向かい合う上縁部及び下縁部において互いに接続することができる。このプロセスでは、ハウジング・シェルは、例えばレーザ溶接などの何れかの溶接方法によって、互いに少なくとも部分的に溶接されることが好ましい。特に、ハウジング・シェルは、上部接続縁部及び下部の接続縁部においてのみ、詳細には武器ハウジングの後端部においてのみ互いに少なくとも部分的に溶接されることが好ましい。対応するハウジング・シェルの幾何学的構成においては、金型の歪みを防ぐことができるように、ハウジング・シェルをハウジングに組み立てる際に必要とされる接続又は溶接作業を最小限に抑えることができる。
【００３０】
更に、有利には、溶接された又は接続されたハウジングのハーフストックの溶接接合部の支持は、力の方向に対して斜めではなく、発射方向又は力の方向に延び、過度の変形を低減させて歪みを防止する。
【００３１】
全体として、有利には、ハウジングへの熱の導入、及び溶接中のハウジングへの熱の導入によって引き起こされる歪みは、最小限に保持され、又は実質的に完全に防止することができる。詳細には、このようにして引張荷重を受けるハウジングにおいては、高い寸法安定性が保証される。同様に、このようにして薄肉のハウジングのハーフストックから成る武器ハウジングを実現できる。
【００３２】
組み立ての前に、ハウジング・シェルの外面形状又は外側設計の広範囲な最終処理を行う場合、付加的な部品を溶接する必要はない。従って、ここでも、溶接歪み又は材料の脆弱化を阻止することができる。同様に、後続の形状修正が防止され、ハウジング・シェルは、必要な低許容範囲内で組み立てられ、互いに安定的に接続することができる。全体として、本発明によれば、ハウジング半部分の接続後のハウジング半部分の幅及び高さに関する寸法安定性を保持することができる。このことは、弾薬フィードカバー及び照準器又は他の付属部品がハウジング半部分の上部に配置され、こうしたことからクリアランスがゼロであることが必要とされるので、この点に関して重要である。本発明によれば、ゼロのクリアランス及び弾薬フィードカバーの正確な取り付けが達成される。従って、生産に関して一貫性があり、再現可能であり、且つ好ましい武器ハウジングが提供される。
【００３３】
本発明による武器ハウジングにおいて、少なくとも１つの位置決め凹部と、これに接続された少なくとも１つの接続ピンとの間で力を伝達することもでき、この力は、ブリーチの移動時にスコープ・レセプタクル及び／又は接続ブロックに作用する。
【００３４】
同様に、本発明による武器ハウジングにおいて、固定ハウジング・シェル間でブリーチ組立体を案内するための案内軌道を設けることができる（請求項９）。この案内軌道は、ハウジング・シェルの製造の際に空所のままにしておき、又は後で例えば機械仕上げプロセスに組み込むことができる。このプロセスでは、接続ブロック上での本発明によるハウジング・シェルの位置合わせは、非組み立て状態で案内軌道が完成した場合でも、案内軌道の位置合わせを確実にする。
【００３５】
更に、本発明による武器ハウジングにおいて、武器ハウジング構造体は、ハウジング・シェルを互いに接続する安定化要素を介して安定化させることができる（請求項１０）。安定化要素は、ブリッジ要素として構築され、ハウジング構造体内に組み立てられたハウジング・シェル間でランダムな位置に配置することができる。安定化要素は、ハウジング上部に配置され、例えば中心に配置されるのが好ましい。このように、簡単な手段で武器ハウジングの安定性を高めることができ、ハウジング・シェルの傾斜を防ぐことができる。
【００３６】
原理的には、例えば溶接、接着剤、又は同様のものなど、安定化要素をハウジング・シェルに迅速に接続することができる。しかしながら、安定化要素は、ハウジング・シェルの上側に構築された又は空所のままにされた凹部に導入又は挿入されるのが好ましく、この凹部は、例えば、Ｔ字型スロットを介して形状が適合するように構築される。
【００３７】
更に、本発明による武器ハウジングにおいて、安定化要素は、少なくとも１つの固定要素を介して何れかのハウジング・シェル上に固定することができ、及び／又はセンタリング要素を介して位置合わせすることができる（請求項１１）。この目的のために、例えば、安定化要素を垂直方向に貫通させて該安定化要素をハウジング・シェルに接続するねじを設けることができる。また、他の適切な締結要素及び固定要素も可能である。
【００３８】
また、本発明による武器ハウジングにおいて、安定化要素は、排莢要素を含むことができる（請求項１２）。この排莢要素は、例えばブリーチ支持部又はブリーチヘッドなどのブリーチ組立体と係合するように設計することができる。この目的のために、排莢要素は、武器ハウジング内に下方に突出する突起部として構築することができる。
【００３９】
本発明の武器ハウジングにおいて、排莢要素は、ブリーチ組立体内に突出し、その反動時にケースベース上で空薬莢を排出及び／又は放出することができる（請求項１３）。次に、突起部は、例えば、ブリーチ組立体の上部、例えばブリーチ支持体又はブリーチヘッド上に構築されたスロット状の軸方向凹部内に突出することができる。このように、ブリーチ組立体の反動時に、ケースベース上で突起部を介して空薬莢をブリーチヘッドから排出し、武器ハウジングから排莢口を通して下向きに放出することができる。
【００４０】
更に、本発明の武器ハウジングにおいて、接続ブロックは、少なくとも１つのスコープ・レセプタクルを含むことができる（請求項１４）。スコープ・レセプタクルは、銃身及び／又はロック部品の寸法に適合される。このように、有利には、単純な手段により銃身又は武器のスコープを接続ブロックに位置合わせすることができる。
【００４１】
更に、ハウジング・シェルは、接続ブロックに位置合わせされるが、武器のボアの軸線にも位置合わせすることができる。
【００４２】
また、本発明による武器ハウジングにおいて、接続ブロックは、ガス・ロッドホルダを介して、スコープ上のガス抽出器及びガス・ロッドガイドに接続することができる（請求項１５）。スコープ上のガス抽出器を介して、周知の方法でガス操作式再装弾機構を駆動させることができる。従って、省スペース及びコンパクトな構成が保証される。
【００４３】
請求項１６によれば、本発明はまた、武器ハウジングを有する手持ち式小武器にも関する。
【００４４】
全体として、本発明によれば、製造ばらつきの少ないハウジング・シェルを有し、高精度で寸法が正確な武器ハウジングが提供され、その製造工程は費用効率が高いものである。また、ハウジング・シェルの組み立てにおける処理時間が短いおかげで、高い収益性を達成することもできる。また有利には、ハウジング・シェルに対するどのような設計要件をも実現することができる。
【００４５】
例証として図面を利用して本発明を詳細に説明する。図において、同じ参照符号は常に同じ要素を示す。
【図面の簡単な説明】
【００４６】
【図１】前方に傾斜した図において組み立てられた位置にある本発明の武器ハウジングの斜視図である。
【図２】図１からの武器ハウジングの拡大詳細図である。
【図３】第１のハウジング・シェルの左側外観の側面図である。
【図４】図３からのハウジング・シェルの上面図である。
【図５】図３からのハウジング・シェルの内部の側面図である。
【図６】第２のハウジング・シェルの右側外観の側面図である。
【図７】図６からのハウジング・シェルの上面図である。
【図８】図６からのハウジング・シェルの内部の側面図である。
【図９】図３及び図６からのハウジング・シェルが組み立てられた、武器ハウジングの右側外観の側面図である。
【図１０】図９からの武器ハウジングの底面図である。
【図１１】図９からの組み立てられた武器ハウジングの左側外観の側面図である。
【図１２】図９からの武器ハウジングの上面図である。
【図１３】左側ハウジング半部分の位置決め凹部及び接続ピンの拡大詳細図である。
【図１４】断面Ａ−Ａに沿った、図１３からの位置決め凹部及び接続ピンの断面図である。
【発明を実施するための形態】
【００４７】
上方、下方、前方、後方、右側、及び左側といった方向情報は、射手の視点から発射位置で保持される武器について言及するものである。
【００４８】
図１は、前方に傾斜した図において、組み立てられた位置にある本発明の武器ハウジングの斜視図を示す。図２は、図１からの武器ハウジングの拡大部分を詳細に示している。図３乃至図８は、２つのハウジング・シェルを種々の図で示す。図９乃至図１２は、組み立て状態の２つのハウジング・シェルを種々の図で示す。
【００４９】
武器ハウジング１は、本質的に２つのハウジング・シェル３及び５と、接続ブロック７とから成る。ハウジング・シェル３及び５は、製造の際にその最終的構成にすることができ、或いは、後で内側又は外側からミル加工、穴開け、又は他の処理を行うこともできる。ハウジング・シェル３及び５の内部を輪郭形成することもできる。
【００５０】
接続ブロック７の両方の横方向結合フランク１３ａ、１３ｂ上には、３つの接続ピン９ａ、９ｂ、及び９ｃが構築される。ハウジング・シェル３及び５は、位置決め凹部すなわち開口部１１ａ、１１ｂ、及び１１ｃを含む。接続ブロック７上にハウジング・シェル３及び５を配置する際には、位置決め凹部１１ａ、１１ｂ、及び１１ｃが、接続ピン９ａ、９ｂ、及び９ｃと係合する。接続ブロック７上の横方向結合フランク１３ａ、１３ｂの面は、基準面の役割を果たし、２つのハウジング・シェル３及び５の接続のための組立面を形成し、開口部１１ａ、１１ｂ、及び１１ｃを囲む対応する表面領域１０ａ、１０ｂ、１０ｃ（図５、図８、図１３、及び図１４を参照されたい）と接触している。接続ブロック７は、ハウジングの前部を形成し、ハウジングの長手方向軸に位置合わせされる。
【００５１】
位置決め凹部１１ａは円形である。一方、接続ピン９ａは円形の平坦断面を有する。平坦部１６ｖ、ｈは、前方及び後方に垂直方向に延び、且つボアの軸線５７に対してある角度をなして延びる（図２を参照されたい）。接続ピン９ｂ及び９ｃ、並びに位置決め凹部１１ｂ及び１１ｃは、例えば丸み付きコーナー領域を有する矩形又は方形など、角度付きである。接続ピン９ａ、９ｂ、及び９ｃと係合する位置決め凹部１１ａ、１１ｂ、及び１１ｃは、互いに確実に結合される。接続ピン９ａ及び位置決め凹部１１ａにおいては、型締めは、上部及び下部結合領域１８ｏ、ｕまでしか延びていない（図２を参照されたい）。接続ピン９ａは、ハウジング・シェル３、５を垂直方向に固定する。他方、接続ピン９ｂ及び９ｃ並びに位置決め凹部１１ｂ及び１１ｃに対する型締めは、武器のボアの軸線５７に対して（又は、発射方向に対して）ある角度をなして延び、前方及び後方に延びる垂直方向横断面１２ａ及び１２ｂ上にのみ形成される。
【００５２】
ボアの軸線５７に対して長手方向に延びる、接続ピン９ｂ、９ｃの上面及び下面１２ｃ、１２ｄと、位置決め凹部１１ｂ、１１ｃの関連した対向面との間には、上部結合領域及び下部結合領域への取り付けの問題を防止するために、増大されたクリアランスが存在する。
【００５３】
接続ピン９ａ、９ｂ、及び９ｃの縁部、並びに位置決め凹部１１ａ、１１ｂ、及び１１ｃの縁部は勾配が付けられ、Ｖ形状の回転式接合部１４ａ、１４ｂ、１４ｃを形成する。
【００５４】
事前組み立てにおいて、２つのハウジング・シェル３及び５は、接続ブロック上の位置合わせ位置において接続ブロック７の結合フランク１３ａ及び１３ｂ上に構成された接続ピン９ａ、９ｂ、及び９ｃを介して組み立て状態にされる。このプロセスでは、接続ピン９ａ、９ｂ、及び９ｃは、重力によりセンタリング配置される。型締めのために、位置決め凹部は、緊密なクリアランスを有した状態で、接続ピン９ａ、９ｂ、及び９ｃ上の結合領域１８ｏ、ｕ及び１２ａ、ｂ内に配置される。この接続において、ハウジング・シェル３及び５は、互いに溶接することができ、或いは、接続ピン９ａ、９ｂ及び９ｃの領域並びに間に形成された接合部１４ａ、１４ｂ、１４ｃの領域（図２及び図１３を参照されたい）において適切に接続することができる。このプロセスにおいて、例えば、ＷＩＧ、ＭＩＧ／ＭＡＧ、又はレーザ溶接などの何れかの適切な溶接方法を用いることができる。
【００５５】
発砲動作において、武器は、構成部品に作用する高い機械的荷重又は力を受け、この荷重又は力は、接続ピン９ａ、９ｂ、及び９ｃによって吸収される。長手方向に作用する荷重は、このプロセスでは、主に、接続ピン９ｂ、９ｃ及び位置決め凹部１１ｂ、１１ｃの前方結合領域１２ａと後方結合領域１２ｂとの間で伝達される。ボアの軸線５７に対してある角度をもって作用する垂直方向荷重より大きいこれらの荷重を確実に伝達できるように、接続ピン９ｂ、９ｃの断面全体は、接続ピン９ａのものよりも大きい。同様に、これにより（垂直方向に延びる）有効な結合面は、接続ピン９ａ上の丸みを帯びた結合面１８ｏ、ｕよりも大きくなる。
【００５６】
更に、異なる接続縁部が図１０及び図１２から示され、この接続縁部を介してハウジング・シェル３及び５が接続ブロック７及び互いに接続され、詳細には溶接される。これらの縁部は、溶接継ぎ目ノッチを形成するために勾配が付けられている。溶接の際に加工物の歪みを最小に抑えるために、ハウジング・シェル３及び５が互いに接続される接続縁部は、ボアの軸線５７を含む垂直面（対称面）上に延びるのが好ましい。溶接の目的のために、構成部品（例えば、ハウジング・シェル３、５及び接続ブロック７）が最初に組み立てられて、タック溶接点で固定され、最後に接続縁部に沿って互いに溶接される。
【００５７】
このプロセスでは、問題となるのは、前方下部接続縁部４７ａ及び４７ｂ、中央下部接続縁部４９ａ及び４９ｂ、並びに後方下部接続縁部５１ａ及び５１ｂである。更に、こうした接続は、後方上部接続縁部５３ａ及び５３ｂにおいても行われる可能性がある。また、こうした接続は、他の何れかの適切な位置でも行うことができる。
【００５８】
２つのハウジング・シェル３と５の間には、ブリーチ組立体（図示せず）を案内する案内チャネル４１を形成する中空の空間が存在する。案内チャネル４１の開いた上部には、センタリング要素として作用する両側の保持用突起部を裏面上に含む安定化要素２５が、接続ヨーク式に配置される（図２を参照されたい）。安定化要素２５は、組み立てられたハウジング・シェル３及び５、特に長手方向に延びるそれらの自由上縁部を安定化させる。この目的のために、安定化要素２５は、ブリッジと同様に、上部からハウジング・シェル３及び５に、更にそこに配置された凹部に挿入される。
【００５９】
ここでは半月状で形成された凹部及び保持用突起部は、長手方向及び横断方向並びに高さにおいて安定化要素２５をセンタリングする。更に、安定化要素２５は、凹部２８ａ、２８ｂに挿入することができるねじとしてここでは構築された、固定要素２７ａ及び２７ｂを介してハウジング・シェル３及び５上に固定される。
【００６０】
安定化要素２５の中心において、下向きに突出するノーズ形の排莢要素２９が、案内チャネル４１内に構築される。この排莢要素は、ブリーチ組立体（図示せず）内に構築された凹部（図示せず）内に突出する。発射後、ブリーチ組立体は、銃床（ｓｔｏｃｋ）の方向に接続ブロック７から後方に移動する。このプロセスでは、ブリーチ組立体は、エジェクタ（図示せず）によって取り出されたた薬莢（図示せず）を薬室（図示せず）から後方に案内し、ここで突起部２９が凹部内に突出して、薬莢をエジェクタからその底部に排出する。薬莢は、ハウジング・シェル３と５との間に構築された排莢口５５を通って下向きに排出される。後端部において、武器ハウジング１は、図示していないブリーチ端部により封止される。
【００６１】
更に、右側ハウジング・シェル３において、チャージング・ハンドル３５の移動のために案内スロット３７が構築される。案内スロット３７は、ハウジング・シェル３及び５の製造の際に既にノッチとして構築することができ、又は、例えばプロファイリング・カッターにより後でミル加工することもできる。チャージング・ハンドル３５は更に、上部及び下部の案内溝又は案内レール３９ａ及び３９ｂ内に案内される（図２を参照されたい）。
【００６２】
ブリーチブロック（図示せず）を支持するために、案内スロット３７を介してチャージング・ハンドル３５に接続されたキャリア・ピン３８は、ブリーチブロックが案内される凹部４１内に突出し、チャージング・ハンドル３５が引き戻されたときに、ブリーチブロックを後部に沿って支持する。また、チャージング・ハンドル３５は、発砲時に案内スロット３７内において無制御状態で前後に動かないように、適切な位置にロックすることができる。
【００６３】
ハウジング・シェル３及び５の後端部上には、突起部４３ａ及び４３ｂが取り付けられている。更に、例えば、ショルダー・サポート（図示せず）を締結及び／又は固定するためのボアホールなど、凹部４４ａ及び４４ｂが組み込まれている。
【００６４】
ハウジング・シェル３及び５の内部に関する図５及び図８に示される図は、案内のためブリーチ組立体と係合状態にある、上部案内軌道４５ａ、４５ｂ及び下部案内軌道４６ａ、４６ｂを示す。この目的のために、例えば、カム・ローラ又は別の適切な案内手段（図示せず）などのローラ・ガイドをブリーチ組立体内に構築することができ、ローラ・ガイドは、発砲時又は弾の装填時にブリーチ組立体の前後移動において、案内軌道４５ａ、４５ｂ及び４６ａ、４６ｂに沿って案内される。案内軌道４５ａ、４５ｂ及び４６ａ、４６ｂは、例えば溝又は窪みのような凹部として、或いは、例えば案内レール又は適切な隆起部などの形成物として構築することができる。
【００６５】
上部案内レール４５ａ、４５ｂ及び下部案内レール４６ａ、４６ｂは、このプロセスでは、ブリーチブロック支持部の左側及び右側上にある案内溝にも係合して、該ブリーチブロック支持部を横断方向で水平に且つ長手方向で垂直に案内し、即ちボアの軸線５７に沿ってこれをハウジング内に固定することができる。
【００６６】
図１０は、組み立てられたハウジングの下面にある別の凹部６１を示し、ここを通して例えば図示されていない引き金ユニットを挿入又は導入することができる。排莢口５５は、任意選択的に、カバー・パネルを有する状態で、又は有さない状態で設計することができる。武器ハウジング１の上部は、図示されていない弾薬フィードカバーによって封止される。更に、例えば照準装置など、図示されていない他の要素を武器ハウジング上に締結する又は取り付けてもよい。
【００６７】
図１３は、位置決め凹部１１ａ、１１ｂ及び１１ｃ、並びに接続ピン９ａ、９ｂ及び９ｃの拡大詳細図を示す。接合部１４ａ、１４ｂ、１４ｃも拡大された状態で示される。
【００６８】
図１４は、図１３から断面Ａ−Ａに沿った、接続ブロック７、位置決め凹部１１ａ、１１ｂ及び１１ｃ、並びに接続ピン９ａ、９ｂ及び９ｃの断面図を示す。このプロセスでは、ハウジング・シェル３及び５が、接続ブロック７上に配置された横方向結合フランク１３ａ及び１３ｂと組み立てられた位置でどのように接触しているかが明らかである。
【００６９】
更に、接続ブロックは、円筒形のスコープ・レセプタクル１５を含む。スコープ・レセプタクルには、Ｒｏｈｒ又は銃身に接続される対応するシリンダ表面を有するロック部品（図示せず）を挿入することができる。対応する円筒形クリアランスを有するスコープ・レセプタクル１５は、銃身組立体を軸方向に位置合わせする目的を果たす。
【００７０】
このプロセスでは、銃身の回転位置は、２つの横方向案内カム１９ａ及び１９ｂによって定められる。この目的のために、案内カム１９ａ及び１９ｂは、例えば、ロック部品の停止カラー部内に構築された２つの対応する凹部（図示せず）に係合することができる。従って、武器のスコープの位置合わせは、シリンダガイド、案内カム１９ａ及び１９ｂ、凹部、並びに停止カラー部を介して行うことができる。
【００７１】
更に、平坦な回転可能固定シャフト２１が、接続ブロック７の上端部上に配置される。固定シャフト２１は、ロック部品内に横断方向に延びる対応する溝（図示せず）に係合し、従って、銃身組立体を軸方向に固定することができる。固定シャフト２１は、制御レバー２３を介して作動される。更に、ロック・シャフト及び／又は制御レバー２３の作動は、キャリー・ハンドル（図示せず）のピボット位置によってロック又は解除することができ、ここで、キャリー・ハンドルを支持位置にロックすることができる。
【００７２】
更に、スコープ・レセプタクル１５の下方にある接続ブロック７上に円筒形ガス・ロッドホルダ１７を構築することができる。ガス・ロッドガイド（図示せず）は、対応するクリアランスで挿入又は他の方法で適切に結合させることができ、その結果、ガス作動式再装填機構を周知の方法で作動させることができる。
【００７３】
シャフト受け領域が、ハウジング・シェル３及び５の後端部上に構築される。このシャフト受け領域は、例えば、ショルダー・サポート保持具（図示せず）を介してショルダー・サポート（図示せず）に接続することができる。この目的のために、例えば、ショルダー・サポート保持具は、様々な幅の軸方向の案内溝を有する２つのダブテール爪を含むことができ、この案内溝は、ショルダー・サポート上に構築された対応する幅の案内レールに係合する。また、この接続において、ブリーチ端部内の円筒形ボアホール位置（図示せず）は、ショルダー・サポート上の対応する円筒ピストンセクションと協働することができ、挿入時にセンタリングされて軸方向に位置合わせされるようになる。
【００７４】
次に、ショルダー・サポートを挿入する際、ショルダー・サポートは、案内レールが対応する溝に係合するようにピストン軸線の周りで回転され、該溝は、ロッキング・レバーにより指定された回転位置にロックされるばねキャッチとすることができる。案内溝の一端を閉鎖するか又はテーパ状にし、案内レールを開放端上の溝だけに導入できるようにすることができる。このように、例えばショルダー・サポートが１回の位置合わせだけで挿入及びロックできるようになる（所謂、自動落下設計）。
【００７５】
当業者であれば、以下の特許請求の範囲内にある本発明の更なる実施形態が想起されるであろう。
【符号の説明】
【００７６】
１：武器ハウジング
３、５：ハウジング・シェル
７：接続ブロック
９ａ、９ｂ、９ｃ：接続ピン
１０ａ、１０ｂ、１０ｃ：表面領域
１１ａ、１１ｂ、１１ｃ：位置決め凹部
１２ａ、１２ｂ：垂直方向横断面
１３ａ、１３ｂ：結合フランク
１４ａ、１４ｂ、１４ｃ：接合部
１５：スコープ・レセプタクル
１６ｖ、ｈ：平坦部
１７：ガス・ロッドホルダ
１８ｏ、ｕ：結合領域
１９ａ、１９ｂ：案内カム
２１：固定シャフト
２３：制御レバー
２５：安定化要素
２７ａ、２７ｂ：固定要素
２８ａ、２８ｂ、４４ａ、４４ｂ、６１：凹部
２９：排莢要素
３５：チャージング・ハンドル
３７：案内スロット
３８：キャリア・ピン
３９ａ、ｂ：案内レール
４１：案内チャネル
４３ａ、４３ｂ：突起部
４５ａ、４５ｂ：上部案内軌道
４６ａ、４６ｂ：下部案内軌道
４７ａ、４７ｂ：前方下部接続縁部
４９ａ、４９ｂ：中央下部接続縁部
５１ａ、５１ｂ：後方下部接続縁部
５３ａ、５３ｂ：後方上部接続縁部
５５：排莢口
５７：ボアの軸線
【図１】
0005335986.tif 000002
【図２】
0005335986.tif 000003
【図３】
0005335986.tif 000004
【図４】
0005335986.tif 000005
【図５】
0005335986.tif 000006
【図６】
0005335986.tif 000007
【図７】
0005335986.tif 000008
【図８】
0005335986.tif 000009
【図９】
0005335986.tif 000010
【図１０】
0005335986.tif 000011
【図１１】
0005335986.tif 000012
【図１２】
0005335986.tif 000013
【図１３】
0005335986.tif 000014
【図１４】
0005335986.tif 000015